(57)【要約】【課題】  任意大きさのピンを摘まみ、該ピンに応じた挿入孔を選択して順次挿入することで、手指と視覚と脳に刺激を与える身体機能訓練器、その所要時間を計測比較することで、更に身体機能を判定し得るようにした身体機能判定訓練器を提供することにある。【解決手段】  大きさの異なるピン挿入孔３を穿設したベースボード２と、ピン挿入孔に対応するピン４とから成り、ピン挿入孔は少なくともボード表面２ａに任意間隔で規則正しく又は不規則に穿設され表側パターン３Ａを形成し、該パターンに対するピン群４０からピンを選択挿入することで、指先、視覚、脳等を刺激し得るようにしたことを特徴とする。また、ボードホルダー１１にベースボードを嵌脱可能に保持する台板部１２と、計測結果に基づく表示部１３とを備え、使用時間の計測部１４と、計測結果の記録部１５と、スイッチ類９と、ピン挿入検出部１９とを適宜備えている。【選択図】        図１
2008006162.tif 000002
【特許請求の範囲】
【請求項１】
開口広さの異なるピン挿入孔（３）を穿設したベースボード（２）と、各ピン挿入孔（３）に挿入するピン群（４０）とから成り、ピン挿入孔（３）は少なくともボード表面（２ａ）に任意間隔で規則正しく又は不規則に穿設され、表側パターン（Ａ）を形成し、ピン群（４０）からピン挿入孔（３）に対するピン（４）を選択して挿入することで、指先、視覚、脳等を刺激し得るようにしたことを特徴とする簡易身体機能訓練器。
【請求項２】
ベースボード（２）は、ピン挿入孔（３）を避けてピン収納部（５）を備え、そのピン収納部（５）にピン群（４０）を格納し得るようにしたことを特徴とする請求項１記載の簡易身体機能訓練器。
【請求項３】
少なくともボード表面（２ａ）を覆うことのできるボードカバー（６）を備えていることを特徴とする請求項１又は２記載の簡易身体機能訓練器。
【請求項４】
本体（２１）と、本体（２１）のピン挿入孔（３）に挿入するピン群（４０）とを備え、本体（２１）は台板表面（２２ａ）に開口広さの異なるピン挿入孔（３）を任意間隔で規則正しく又は不規則に穿設し、表側パターン（Ａ）を形成すると共に、各ピン挿入孔（３）の下側にピン挿入検出部（１９）を備え、更に所要時間の計測部（１４）と、計測結果を元にした表示部（１３）と、計測結果の記録部（１５）と、スイッチ類（９）とを備え、ピン群（４０）からピン挿入孔（３）に対するピン（４）を選択して挿入することで指先、視覚、脳等を刺激し、ピン（４）の挿入開始から終了までの所要時間の比較により身体機能を判定し得るようにしたことを特徴とする身体機能判定訓練器。
【請求項５】
開口広さの異なるピン挿入孔（３）を穿設したベースボード（２）と、ピン挿入孔（３）に挿入するピン群（４０）と、ベースボード（２）を嵌脱可能に保持するボードホルダー（１１）とを備え、ピン挿入孔（３）は任意間隔で規則正しく又は不規則にボード表面（２ａ）からボード裏面（２ｂ）に貫通し、少なくともボード表面（２ａ）に表側パターン（Ａ）を形成し、ボードホルダー（１１）は台板部（１２）と計測結果の表示部（１３）とを備え、台板部（１２）にボード保持部（１８）とピン挿入検出部（１９）とを備え、台板部（１２）と表示部（１３）の何れかに、所要時間の計測部（１４）と記録部（１５）、及びスイッチ類（９）とを備え、ピン群（４０）からピン挿入孔（３）に対するピン（４）を選択して挿入することで指先、視覚、脳等を刺激し、ピン（４）の挿入開始から終了までの所要時間の比較により身体機能を判定し得るようにしたことを特徴とする身体機能判定訓練器。
【請求項６】
計測部（１４）は、最先ピン（４）の挿入と同時にタイマー（１７）が作動開始し、最終ピン（４）の挿入と同時にタイマー（１７）が停止する自動計測式と、スイッチ類（９）を手動操作する手動式との何れか一方であることを特徴とする請求項４または５記載の身体機能判定訓練器。
【請求項７】
ピン群（４０）を格納し得るピン収納部（５）を備えていることを特徴とする請求項４，５又は６記載の身体機能判定訓練器。
【発明の詳細な説明】
【技術分野】
【０００１】
本発明は、身体機能（手指、視覚、脳）の把握、身体機能の刺激による機能向上や活性化として、或は学習教材や知育教材として、特に手作業の適性検査と訓練、手先機能障害のリハビリ等に役立つ簡易身体機能訓練器と身体機能判定訓練器に関するものである。
【背景技術】
【０００２】
身体機能の機能向上（機能回復）手段として、木製板の一面に設けた丸い穴にピンを差し込んで立てるものと、特許文献３の如く一種類のピンを一方の挿入孔から他方の挿入孔に移動するピン挿入式のものは、主に手先機能の訓練に適しており、ピースの組み合わせるパズル式、特許文献１の如く立体的な絵模様を組み立てる立体パズル式のものは、数、形、色の認識力を高め、手指と視覚と脳の訓練に適している。
ピン挿入式のものは、指先に適度の刺激が加わるため、手指の機能回復に有効であるばかりでなく、脳細胞を刺激し、身体バランスの復元にも有効とされている。
【０００３】
他に、ゲーム機で脳の反応状況を確認するものもあるが、これは視覚にて絵文字情報を認識し、指先で絵文字情報やボタンを押し、質問に対する答えの正解率を求め、脳の反応時間を年齢に置き換え、脳の反応状況を提供するものである。
また、特許文献２の如くカラーキャップを突起に嵌め込む造形玩具教材等も発明されている。
【特許文献１】特許第３２４４６８４号公報
【特許文献２】実開平１−８４６９９号公報
【特許文献３】登録実用新案第３０５９６５２号公報
【発明の開示】
【発明が解決しようとする課題】
【０００４】
しかしながら、ピン挿入式のものは、同じ大きさのピンを挿入孔に差し込むだけであるので、手指の訓練にしか利用できない問題点があった。又、パズル式や立体パズル式のものは、１片のピースを紛失しても、使用できなくなる問題点があった。
身体機能訓練器として、種々の訓練器が工夫されているが、それらの多くは器械運動器具であり、日常生活上に於いて簡単に反復使用し得るものが少なかった。特に、身体機能を判定する機具は存在せず、機能訓練、機能回復のみを行っているのが現状である。
パズル式や立体パズル式にあっては、視覚で形状認識し、それに合った凹部を探し嵌め込むものであるから、形状認識には適するものの、嵌め込む位置が限定されているため、その一つを紛失しても完成できない問題点があった。
ゲーム開始から完了までの所要時間を計測する機能がなく、所要時間は対象とされていない。
【０００５】
そこでこの発明は、従来技術の有するこのような問題点に鑑みてなされたものであり、その目的とするところは、大きさの異なるピンとピン挿入孔とを用い、右手又は左手を使用して、或るは左右の手を使用して、ピン群から任意大きさのピンを摘まみ、該ピンに応じた挿入孔を選択して順次挿入することで、手指と視覚と脳に刺激を与える簡易身体機能訓練器と、使用時の所要時間を計測し、過去の所要時間と比較することで、更に身体機能の判定をしたり、指先と視覚と脳の機能回復に役立つ身体機能判定訓練器を提供することにある。
【課題を解決するための手段】
【０００６】
本発明の簡易機能訓練器は、請求項１として、開口広さの異なるピン挿入孔を穿設したベースボードと、各ピン挿入孔に挿入するピン群とから成り、ピン挿入孔は少なくともボード表面に任意間隔で規則正しく又は不規則に穿設され、表側パターンを形成し、ピン群からピン挿入孔に対するピンを選択して挿入することで、指先、視覚、脳等を刺激し得るようにしたことを特徴とする。
請求項２として、請求項１記載の簡易機能訓練器において、ベースボードは、ピン挿入孔を避けてピン収納部を備え、そのピン収納部にピン群を格納し得るようにしたことを特徴とする。
請求項３として、請求項１又は２記載の簡易機能訓練器において、少なくともボード表面を覆うことのできるボードカバーを備えていることを特徴とする。
【０００７】
ここでピン挿入孔とは、ボード表面から内部に向けて穿設する表側挿入孔と、ボード裏面から内部に向けて穿設する裏側挿入孔とを言い、表側挿入孔のみを単独で設ける場合と、表側挿入孔と裏側挿入孔とを貫通状態に設ける場合があり、開口形状は自由であるが、主に円形、楕円形、多角形等を成し、且つ、開口広さの異なる複数のピン挿入孔を、開口広さの大のものから順に列設し、或は不規則に列設し、更には乱雑に穿設するものである。
ここでピンとは、棒状ピンと、第一差込部と第二差込部とを上下に備えた段状ピンとを言い、両ピンはピン挿入孔の開口広さに応じた複数種類があり、ピン挿入孔と同数、又は僅かに多くを１セット分とするもので、合成樹脂や木材、或は金属にて形成される。ピンを色別に形成することで、形、色の認識力を高めることができるし、挿入完了時に、模様や図柄等を表現することも可能である。
このピンを指先で摘む毎に、指先に刺激を与えると共に、ピン群からピン挿入孔に応じたピンを選択し、これをピン挿入孔に挿入するものであるから、ピンの選択挿入を繰り返すことにより、視覚や脳にも刺激を与え、視覚や脳の活性化も促すものである。
【０００８】
ここでベースボードとは、適宜厚さを有する立方体で、平面形状は主に矩形、円形、楕円形等を成し、合成樹脂や木材等にて子供でも持てる大きさと重さに形成され、ピン挿入孔を有するものを言う。
ここで表側パターンとは、ピン挿入孔の配置状態を言い、例えば口径の異なる４種類のピン挿入孔を用いる場合、２４種類の配列（挿入孔列）が可能となり、その挿入孔列を組み合わせることで多様なパターンを形成し得る。裏側パターンも同様である。
ここでピン収納部とは、少なくとも１セット分のピンを格納しておくことのできる空間を言い、ベースボードに一ヶ所又は数箇所に設けることで、ピンの紛失を防ぐことができる。
ここでボードカバーとは、ボード表面に被せ、ピン挿入孔への塵の侵入を防ぐ場合と、ピンの挿入状態で被せ、ピンを離脱不能に保持する場合とがあり、且つ、取り外した時、ピンの受け皿となるものが好ましい。
【０００９】
本発明の身体機能判定訓練器は、請求項４として、本体と、本体のピン挿入孔に挿入するピン群とを備え、本体は台板表面に開口広さの異なるピン挿入孔を任意間隔で規則正しく又は不規則に穿設し、表側パターンを形成すると共に、各ピン挿入孔の下側にピン挿入検出部を備え、更に所要時間の計測部と、計測結果を元にした表示部と、計測結果の記録部と、スイッチ類とを備え、ピン群からピン挿入孔に対するピンを選択して挿入することで指先、視覚、脳等を刺激し、ピンの挿入開始から終了までの所要時間の比較により身体機能を判定し得るようにしたことを特徴とする。
請求項５の身体機能判定訓練器は、開口広さの異なるピン挿入孔を穿設したベースボードと、ピン挿入孔に挿入するピン群と、ベースボードを嵌脱可能に保持するボードホルダーとを備え、ピン挿入孔は任意間隔で規則正しく又は不規則にボード表面からボード裏面に貫通し、少なくともボード表面に表側パターンを形成し、ボードホルダーは台板部と計測結果を元にした表示部とを備え、台板部にボード保持部とピン挿入検出部とを備え、台板部と表示部の何れかに、所要時間の計測部と記録部、及びスイッチ類とを備え、ピン群からピン挿入孔に対するピンを選択して挿入することで指先、視覚、脳等を刺激し、ピンの挿入開始から終了までの所要時間の比較により身体機能を判定し得るようにしたことを特徴とする。
【００１０】
ここで本体とは、ピン挿入孔を備えた台板部と、計測結果を元にした表示部とを備えるものを言い、ボードホルダーのボード嵌込部とは、ベースボードをボード表側から嵌脱自在に保持するもの、ボード側面から嵌脱自在に保持するものを言う。
ここでピン挿入検出部とは、ピン挿入孔の下方にあって、ピンが挿入された時に「ＯＮ」となり、ピンの否挿入時に「ＯＦＦ」となるものいを言い、各種のスイッチやタッチセンサー等を用いる。
ここで計測部とは、ピン挿入孔に対するピンの使用開始から終了までの所要時間をタイマーで計測し、即ち、最先ピンの挿入から最終ピンの挿入までに要した時間を計測するものを言い、記録部とは、例えば使用年月日や所要時間を、使用者別に記憶しておくもの、又は使用毎の所要時間を記憶し、新旧所要時間の比較から、習熟度や機能回復度の状態を判定するものを言い、表示部とは、主にＬＣＤによる表示装置を言い、記録部のデーターを元にして熟練度や判定結果を文章または絵、グラフ等で表示する。即ち、所要時間が短縮傾向にある場合、使用動作の訓練や習熟度又は機能回復度が向上していることを示す。
ここで切り替えスイッチとは、例えば、記録部と表示部に接続する判定表示接点と、計測部と表示部に接続する所要時間表示接点とを備えているものを言う。
【００１１】
請求項６の身体機能判定訓練器は、請求項４，５の身体機能判定訓練器において、計測部は、最先ピンの挿入と同時にタイマーが作動開始し、最終ピンの挿入と同時にタイマーが停止する自動計測式と、スイッチ類を手動操作する手動式との何れか一方であることを特徴とする。
請求項７の身体機能判定訓練器は、請求項４，５，６の身体機能判定訓練器において、ピン群を格納し得るピン収納部を備えていることを特徴とする。
身体機能判定訓練器は、先発明の簡易身体機能訓練器と同様に、指先に刺激を与えると共に、視覚や脳にも刺激を与え、視覚や脳の活性化も促する以外に、所要時間の計測部と、計測結果の記録部及び表示部と、スイッチ類とを備えているので、使用後、瞬時に身体機能の状態を知ることができるし、過去からの経緯も知ることができる。
【発明の効果】
【００１２】
本発明による簡易身体機能訓練器は上記構造のとおりであるから、次に記載する効果を奏する。
請求項１の簡易身体機能訓練器は、ピン群からピン挿入孔の大きさに対応する大きさのピンを選択し、そのピンを指先で摘んでピン挿入孔に挿入するものであるから、指先や手指に適度の刺激を与え、それによって指先や手指の機能回復に勝れた効果を発揮する。更に、ピンをピン挿入孔に挿入する場合、選別、選択しながら摘まんだり挿入するため、視覚や脳等も刺激され、それにより神経機能や脳の活性化を図ることができる。その結果、脳の活性化や老化防止、即ち、障害者や高齢者の機能回復等にも役立つ。
しかも小型軽量で、持ち運びに便利であるし、誰でも簡単に使用することができるばかりか、日々実施することにより、反応状態を自分で確認することができる。
【００１３】
請求項２の簡易身体機能訓練器は、請求項１の特徴に加えて、ピン収納部を備えているので、ピン群を別に収納保管する必要がないし、ピンの紛失も防止し得る。
請求項３の簡易身体機能訓練器は、請求項１，２の特徴に加えて、ボード表面をボードカバーにて覆うことのできるので、ピン挿入孔への埃の侵入を防いだり、ピン収納部の出入口を塞ぐことも出来るばかりか、取外し時にはピンの受け皿として利用できる。
【００１４】
本発明による身体機能判定訓練器は上記構造のとおりであるから、次に記載する効果を奏する。
請求項４の身体機能判定訓練器は、挿通孔パターンの異なるベースボードを取り替えることで、多様な判定や訓練ができる。また、ピンの挿入開始から終了までの時間を計測し、表示部に所要時間を元にした表示をしたり、過去の所要時間と比較し、グラフ化して表示することができる。
請求項５の身体機能判定訓練器は、ボード本体の台板に直接ピン挿通孔を備え、その挿通孔にピンを挿入するものであるから、取扱いが簡便である。
請求項４，５の身体機能判定訓練器は、前記発明の簡易身体機能訓練器と同様に、指先や視覚、或は脳機能を訓練ができる以外に、使用毎のタイムを記録し、過去のデーターと比較できるため、手指機能及び視覚、脳機能を自己診断ができる。
【００１５】
請求項６の身体機能判定訓練器は、請求項４，５の特徴に加えて、手動計測部を備えた場合、スイッチ類を操作する分だけ、更に指先や視覚、或は脳機能に刺激を与えることができる。反対に、自動計測部を備えた場合、スタートスイッチとストップスイッチの操作を省略し得る。
請求項７の身体機能判定訓練器は、請求項４，５，６の特徴に加えて、収納部を備えているから、請求項２と同様の効果を奏する。
【００１６】
時間推移グラフ又は所要時間が、平均値や前回との差異があるかを比較し、視覚・脳の反応を自己診断することができる。即ち、平均値より所要時間が延びる傾向にある場合、或は前回及び平均値から大きく（目安１０％以上の差異）所要時間が延びた場合、手指、視覚、脳機能の何れかに異変が生じた可能性があることが推測できる。
何れの身体機能訓練器及び身体機能判定訓練器にあっても、家族や友人、同僚等とゲーム感覚で所要時間を争うことも可能である。
【発明を実施するための最良の形態】
【００１７】
先ず、本発明による簡易身体機能訓練器の最良形態を図１に基づき説明すると、簡易身体機能訓練器１は矩形を成すベースボード２と、ベースボード２の挿入孔３に挿入するピン群４０と、ベースボード２に被せるボードカバー６とを備え、ベースボード２の挿入孔３はボード表面２ａより内部に向けて穿設し、口径φの異なる２種類以上の表側挿入孔３Ａから成り、表側挿入孔３Ａを例えば口径２φの第一挿入孔ａ１と、口径３φの第二挿入孔ａ２と、口径４φの第三挿入孔ａ３との三種類で穿設する場合、第一〜第三挿入孔ａ１，ａ２，ａ３を口径φの大きさ順に適宜間隔を保ってベースボード２の前面側から配置する第一挿入孔列３１と、該挿入孔列３１に平行してベースボード２の背面側から配置する第二挿入孔列３２とを交互に設け、第一挿入孔列３１と第二挿入孔列３２とで表側パターンＡを形成している。
【００１８】
また、ピン４は挿入孔３に対応した棒状ピン４Ｃと、口径φの異なる第一差込部４ａと第二差込部４ｂとを上下に備えた段状ピン４Ｄとから成り、ピン群４０は、少なくとも表側パターンＡに配置されている表側挿入孔３Ａと同数のピン４を１セットとし、不使用時に、ベースボード２に設けたピン収納部５に格納しておくものである。
ピン収納部５は、挿入孔３を避けた位置においてボード側面２ｃから内部に穿設し、カバー６は、ベースボード２より一回り大きい天板６ａの外周に、ボード側面２ｃの外側まで垂下する側板６ｂを備え、側板６ｂの下端部にボード裏面２ｂに係止する係止部（図示せず）を備るか、弾力を利用して図４と図１１の如くベースボード２に対して嵌脱可能となり、嵌合時にはピン収納部５の出入口５ａを閉鎖し、取外し時に、ピン群４０の受け皿となる。
【００１９】
本発明の簡易身体機能訓練器において、表側パターンＡに対する棒状ピン４Ｃの使用方法を説明すると、予め、ベースボード２よりカバー６を取外し、該カバー６の上下を反転し、カバー６内にピン収納部５より１セット分の棒状ピン４Ｃを取出した後、先ず、カバー６内から任意棒状ピン４Ｃを手指で摘み出し、該ピン４Ｃの径φに応じた挿入孔３を選び出し、該挿入孔３に差し込む。選択した挿入孔３の口径φがピン４Ｃと一致しない場合、一致するまで挿入孔３を探して差し込む。これらの動作を繰り返し、表側パターンＡを構成する全ての挿入孔３に棒状ピン４Ｃを差し込む。
反対に、予め挿入孔３を限定し、その挿入孔３の口径φに応じたピン４をカバー６内のピン群４０より選択し、該ピン４を挿入孔３に差し込むことも可能である。
【００２０】
本発明の簡易身体機能訓練器において、表側パターンＡに対する段状ピン４Ｄの使用方法を説明すると、予め、カバー６内にピン収納部５より１セット分の段状ピン４Ｄを取出した後、先ず、カバー６内にある任意段状ピン４Ｄの第二差込部４ｂを摘み、段状ピン４Ｄをカバー６から取り出し、該ピン４Ｄの第一差込部４ａに対応する挿入孔３を選び出し、第一差込部４ａを挿入孔３に挿入するか、段状ピン４Ｄの第一差込部４ａを摘み、第二差込部４ｂに対応する挿入孔３を選び出し、第二差込部４ｂを挿入孔３に挿入する。これらの動作を繰り返し、表側パターンＡを構成する全ての挿入孔３に段状ピン４Ｄの一方側を差し込む。
棒状ピン４Ｃ及び段状ピン４Ｄの摘みから挿入孔３への挿入までの動作は、片手で行うことも、両手で行うことも可能である。
【実施例１】
【００２１】
本発明による簡易身体機能訓練器の第一実施形態を図２に基づき説明すると、第一実施形態の簡易身体機能訓練器１は矩形状を成す板状のベースボード２と、ベースボード２の挿入孔３に挿入するピン群４０とから成り、ベースボード２はボード表面２ａより内部に向けて口径φの異なる２種類以上の表側挿入孔３Ａを複数列に穿設し、例えば口径２φの第一挿入孔ａ１と、口径３φの第二挿入孔ａ２と、口径４φの第三挿入孔ａ３との三種類を、口径φの大きさ順に適宜間隔を保ってベースボード２の一端から他端に向けて配置する第一挿入孔列３１と、この第一挿入孔列３１に平行してベースボード２の他端から一端に向けて配置する第二挿入孔列３２とを交互に配置し、表側パターンＡを形成するものであり、ピン群４０は表側挿入孔３Ａと同数のピン４を１セット分とするものであり、ピン４として表側挿入孔３Ａの口径φに対応した棒状ピン４Ｃを用い、例えば第一挿入孔ａ１に対応する第一ピンｃ１と、第二挿入孔ａ２に対応する第二ピンｃ２と、第三挿入孔ａ３に対応する第三ピンｃ３との三種類から成り、ピン群４０から挿入孔３に対するピン４を選択して挿入することで、指先、視覚、脳等を刺激し得るようにしたものである。
【００２２】
第一実施形態の簡易身体機能訓練器１の使用例を説明すると、予め、ベースボード２のボード表面２ａを上向きにし、ベースボード２の近くにピン群４０を皿等に入れておき、先ず、皿内から任意ピン４を手指で摘み出し、該ピン４の大きさに応じた挿入孔３を選び、該挿入孔３に差し込む。選択した挿入孔３の口径φがピン４と一致しない場合、一致するまで挿入孔３を探して差し込むか、反対に、任意挿入孔３の口径φに応じたピン４を皿内のピン群４０から選択し、該ピン４を挿入孔３に差し込む。
例えば、摘まんだピン４が第二ピンｃ２であった場合、第二ピンｃ２に対応する第二挿入孔ａ２を選び出し、該第二挿入孔ａ２に挿入する。
【実施例２】
【００２３】
本発明による簡易身体機能訓練器の第二実施形態を、第一実施形態と相違する点について説明すると、第二実施形態の簡易身体機能訓練器１は図３の如く、ボード裏面２ｂにも口径φの異なる２種類以上の裏側挿入孔３Ｂを穿設するものであり、裏側挿入孔３Ｂは例えば図１０（イ）の如く口径２φの第一挿入孔ｂ１と、口径３φの第二挿入孔ｂ２と、口径４φの第三挿入孔ｂ３と、口径５φの第四挿入孔ｂ４と、口径６φの第五挿入孔ｂ５の五種類を、口径φの大きさ順に適宜間隔を保ってベースボード２の他端から一端に向けて配置する第一挿入孔列３１と、この第一挿入孔列３１に平行してベースボード２の一端から他端に向けて配置する第二挿入孔列３２とを交互に配置し、表側パターンＡと相違する裏側パターンＢを形成するものであり、表側挿入孔３Ａと連通状態にあるものの、口径φは一致することが少なく、多くは相違しており、そのことにより二様の使用を可能にする。
【００２４】
第二実施形態の簡易身体機能訓練器１において、裏側パターンＢを用いる場合、ベースボード２の表裏を反転し、ボード裏面２ｂを表とし、裏側パターンＢの裏側挿入孔３Ｂにピン４を順次挿入する。裏側パターンＢに対するピン４の挿入は、表側パターンＡに対するピン４の挿入と同様である。このことで、二様の使用が可能となる。
棒状ピン４Ｃを使用する場合、表側パターンＡと裏側パターンＢとが相違しても、表側挿入孔３Ａと裏側挿入孔３Ｂとの口径φが共通するならば、表側パターンＡに対応する１セット分のピン群４０で併用し得るが、表側挿入孔３Ａと裏側挿入孔３Ｂとの口径φが相違すると、２セット分のピン群４０、即ち、表側パターンＡにのみ用いるピン群４０と、裏側パターンＢにのみ用いるピン群４０とを必要とする。しかし、段状ピン４Ｄを用いれば、ピン群４０の総数を半減し得る。
【実施例３】
【００２５】
本発明による簡易身体機能訓練器の第三実施形態を説明すると、第一及び第二実施形態の簡易身体機能訓練器１におけるベースボード２にピン収納部５を備えるものであり、このピン収納部５は挿入孔３を避けた位置において、ボード側面２ｃから内部に向けて１ケ所又は数ケ所に形成され、その出入口５ａを開閉自在の蓋（図示せず）や嵌脱自在の栓で塞ぎ、少なくとも１セット分のピン群４０を格納するものである。
【００２６】
次に、本発明による身体機能判定訓練器の最良形態を、簡易身体機能訓練器１の第一実施形態と相違する点について説明すれば、最良の身体機能判定訓練器１０は図５と図８の如く、第一実施形態の簡易身体機能訓練器１に用いるベースボード２のボードホルダー１１を新たに備えるものであり、ベースボード２とピン群４０とボードホルダー１１の各々を、絶縁性の高い合成樹脂や木材等にて形成し、挿入孔３を貫通状態に形成している。
ボードホルダー１１は、台板部１２の一方に計測結果を元にした表示部１３を備え、台板部１２にスイッチ類９とベースボード２を嵌脱可能に保持するボード保持部１８とを設け、ボード保持部１８は上向きに開口し、下側にピン挿入検出部１９を備え、台板部１２と表示部１３の何れかに、少なくとも所要時間の計測部１４と、計測結果の記録部１５とを備えるものであり、表示部１３としてＬＣＤ（液晶モジュール）を用い、スイッチ類９として、例えば図８の如くスタートスイッチ９１、ストップスイッチ９２、リセットスイッチ９３、モード切換えスイッチ９４、電源スイッチ９５を備え、スイッチ類９と計測部１４と記録部１５とＬＣＤ表示部１３とピン挿入検出部１９とが電気回路１６により結ばれている。
【００２７】
前記身体機能判定訓練器１０の使用方法につき説明すると、予め１セット分のピン群４０をピン受け皿に入れ、ボードホルダー１１のボード保持部１８にベースボード２を嵌合し、電源スイッチ９５を「ＯＮ」に、タイマー１７を「０」にし、先ず最初に摘まんだ最先ピン４を、該ピン４の大きさに応じたベースボード２の挿入孔３に選択挿入すれば、最先ピン４の挿入はピン挿入検出部１９に検知され、タイマー１７を作動開始する。その後、残りの挿入孔３にピン４を順次選択挿入し、最後に摘まんだ最終ピン４を挿入孔３に挿入すると、即ち、挿入孔３の総てにピン４を挿入するとタイマー１７が停止し、挿入に要した所要時間を計測し、その結果に元づいて表示部１３に表示する。
その際、最先ピン４の挿入位置を限定することも可能であるが、何処の挿入孔３に挿入してもタイマー１７が作動開始することが望ましい。
再度使用する場合、ピン４の総てを挿入孔３から取り除き、リセットスイッチ９３を入れ、タイマー１７を「０」に戻し、ピン４の挿入を開始する。
【実施例４】
【００２８】
本発明による身体機能判定訓練器の第一実施形態を、前記最良形態と相違する点について説明すると、第一実施形態の身体機能判定訓練器１０は図６−１と図６−２の如く、ボード本体２１と、本体２１のピン挿通孔３に対応するピン４とを備え、ボード本体２１は、矩形形状を成す台板部２２の一側に計測結果を元にしたＬＣＤ表示部１３を備え、台板表面２２ａに挿入孔３とスイッチ類９とを備え、挿入孔３として開口広さの異なる例えば五種類の第一〜第五挿入孔ａ１，ａ２，ａ３，ａ４、ａ５から成る表側挿入孔３Ａを口径φの大きさ順に列設し、各挿入孔ａ１，ａ２，ａ３，ａ４、ａ５の下側にピン挿入検出部１９（図示せず）を備え、ピン４として、五種類の第一〜第五ピンｃ１，ｃ２，ｃ３，ｃ４，ｃ５の棒状ピン４Ｃを備え、台板部２２と表示部１３の何れかに、所要時間の計測部１４（図示せず）と、計測結果の記録部１５（図示せず）とを備えている。
ＬＣＤ表示部１３は、モード切換えスイッチ９４によって少なくとも「時間表示」をする第一画面１３ａと、「経過表示」を表示する第二画面１３ｂとから成り、第一画面１３ａの「時間表示」として、例えば直前タイム、直前タイムと前回タイムとの差異、過去の平均値との差異、所要時間に対する診断コメント、計測結果を元にした文章や絵、グラフ等を表示し、第二画面１３ｂの「経過表示」として、例えば過去から現在までの所要時間を計測日順にグラフ表示する。
【００２９】
第一実施形態における身体機能判定訓練器１０の使用方法を、最良形態と相違する点について説明すると、台板表面２２ａに直接ピン挿通孔３を有するため、ベースボード２の嵌脱が不要である。その代わりパターンは固定化される。
また、スイッチ類９において、スタートスイッチ９１とストップスイッチ９２とを新たに手動操作することになる。即ち、電源スイッチ９５を「ＯＮ」に、モード切換えスイッチ９４を「時間表示」に、タイマー１７を「０」にした後、タイマー１７が作動開始するようにスタートスイッチ９１を「ＯＮ」にし、ピン受け皿から最先ピン４を掴み挿入孔３に挿入する。
図６−２の如く最終ピン４の挿入完了後、ストップスイッチ９２を押せば、タイマー１７が停止し、総てのピン４の挿入に要した所要時間を計測し、その結果を表示部１３の「時間表示」に表示する。
再度使用する場合、挿入孔３からピン４の総てを取り除き、これをピン受け皿に入れ、リセットスイッチ９３の操作にてタイマー１７を「０」に戻し、スタートスイッチ９１を入れ、ピン４の挿入を開始する。
【実施例５】
【００３０】
本発明による身体機能判定訓練器の第二実施形態を、第一実施形態と相違する点について説明すると、第二実施形態の身体機能判定訓練器１０は図７の如く、計測結果を元にした表示部１３を最良形態と同様に台板表面２２ａより上方に傾斜するように備え、ピン挿通孔３とスイッチ類９を第一実施形態と同様に、台板部２２に備えるものであり、表示部１３を見やすく傾斜する以外、第一実施形態の身体機能判定訓練器１０と同様である。
第二実施形態の身体機能判定訓練器１０の操作は、第一実施形態と同様であるから、説明を省略する。
【実験例】
【００３１】
本発明における簡易身体機能訓練器１と市販タイマーとを用い、１セットのピン群４０をピン挿通孔３に挿入し終えるまでの所要時間が男女や年齢によってどのように変化するかを計測した。
被験者：成人男女１２名
被験者：熟年男女３名
実験回数：５回／１日とし、５回分の平均値を、その日の所要時間とした。
実験期間：連続９日間
被験者の性別と年齢、及び特徴は表１の通りである。
【００３２】
【表１】
2008006162.tif 000003
被験者毎の所要時間の経緯は図１４−１〜図１４−５の通りであった。
実験の結果、成人男女においては、熟練度の向上は２０回程度まで大きく見られるが、その後の向上は少ない。熟年男女においては、使用回数が増すに従って熟練度は向上するも、成人男女に比較して向上率が低いことが判明した。
【産業上の利用可能性】
【００３３】
ベースボード２とボードホルダー１１、及びボード本体２１の大きさは、片手又は両手で握持できる程度、即ち、縦横寸法が３０ｃｍ以下であることが好ましい。
挿入孔３の種類、開口形状、配列等は実施例に限定されるものではなく、任意に配置することも可能である。例えば図９と図１０の如く表側挿入孔ａ１，ａ２，ａ３，ａ４，ａ５と裏側挿入孔ｂ１，ｂ２，ｂ３，ｂ４，ｂ５の配列順を変更することで、多様な表側パターンＡや裏側パターンＢを形成することができる。また、第一〜第五挿入孔ａ１，ａ２，ａ３，ａ４，ａ５の口径φは実施例に限定されるものではなく、各挿入孔３の口径φを１〜１５ｍｍの範囲で形成することができる。
ピン４において、上下端面の角に面取りを施せば、挿入孔３への挿入が滑らかになるし、着色を施すと、例えば大きさ毎に色別しておくと、色によって大きさが特定できるので、初級者向きに適する。また、段状ピン４Ｄにあっては、例えば第一差込部４ａが第一挿入孔ａ１に、第二差込部４ｂが第二挿入孔ａ２に対応する第一ピンｄ１と、第一差込部４ａが第三挿入孔ａ３に、第二差込部４ｂが第四挿入孔ａ４に対応する第二ピンｄ２に形成したり、図３の如く第一差込部４ａを表側パターンＡに、第二差込部４ｂを裏側パターンＢに対応し得るように形成することも可能である。
【００３４】
挿入孔３、及びピン４の大きさは、ある基準を基に１０〜３００％の範囲で増減させるものであり、例えば、高度訓練用の挿入孔３、及びピン４の最小サイズとして、１〜１５ｍｍφ、ピン長さを１００ｍｍ以下とする。ピン群４０の総数を３００本以下とする。
本発明の身体機能判定訓練器１０において、ボードホルダー１１やボード本体２１にピン収納部５を備えることも可能であるし、ホルダー台板部１２又は本体台板部２２に被さるカバー７を用い、このカバー７をピン４の受け皿として利用することもできる。
ピン収納部５の出入口５ａをボード表面２ａや台板表面２２ａに開口し、ボード表面２ａや台板表面２２ａからピン４を出し入れすることも可能である。
【００３５】
本発明による簡易身体機能訓練器を用いる場合、市販のストップウオッチを用いて所要時間を測定し、その測定結果をメモしておけば、本発明の身体機能判定訓練器１０と同様の効果が得られる。また、ボードカバー６は嵌脱式に限定されるものではなく、ベースボード２の一端側に公知の蝶板（図示せず）を用いて開閉揺動可能に軸支したり、嵌脱式の蝶板にて軸支することも可能であるばかりか、ボードカバー６の代わりに図１２の如くケース７を用い、ケース７内にベースボード２を挿入することも可能である。
ボードホルダー１１のボード保持部１８は、上方に向けて開口するものに限定されず、例えば図１３の如く台板部２２の側方に向けて開口し、側方からベースボード２を嵌脱することも可能である。
【００３６】
表側パターンＡの表側挿入孔３Ａとして３０ケの挿入孔３を穿設する場合、一回の使用毎に３０回のピン４の摘み挿入操作を繰り返し行うこととなり、そのことで手指、視覚、脳に刺激を与え、訓練することができる。
スイッチ類９は実施例に限定されるものではなく、例えばスタートスイッチ９１とリセットスイッチ９３とを一体化したり、スタートスイッチ９１とストップスイッチ９２とを一体化することも可能である。
本発明による簡易身体機能訓練器と身体機能訓練判定器は、養護学校や幼児向け教室等で手指の訓練や数、形、色の認識力を高めるための教材として使用できるし、老人福祉施設や病院等では、手指、視覚、脳等のリハビリ用として使用できる。
【図面の簡単な説明】
【００３７】
【図１】本発明による簡易身体機能訓練器の最良形態を示す斜視図である。
【図２】簡易身体機能訓練器の第一実施形態を示す要部斜視図である。
【図３】簡易身体機能訓練器の第二実施形態を示す要部斜視図である。
【図４】簡易身体機能訓練器の第三実施形態を示す要部斜視図である。
【図５】本発明による身体機能判定訓練器の最良形態を示す斜視図である。
【図６−１】身体機能判定訓練器の第一実施形態の使用前平面図である。
【図６−２】ピンを総て挿入した使用後平面図である。
【図７】身体機能判定訓練器の第二実施形態の斜視図である。
【図８】身体機能判定訓練器の電気回路図である。
【図９】（イ）（ロ）表側パターン例を示す平面図である。
【図１０】（イ）（ロ）裏側パターン例を示す平面図である。
【図１１】ボードカバーの使用例を示す断面図である。
【図１２】ケースの使用例を示す断面図である。
【図１３】保持部の形成例を示す身体機能判定訓練器の斜視図である。
【図１４−１】（イ）（ロ）（ハ）青年被験者ＡＢＣの実験経過図である。
【図１４−２】（イ）（ロ）（ハ）青年被験者ＤＥＦの実験経過図である。
【図１４−３】（イ）（ロ）（ハ）青年被験者ＧＨＩの実験経過図である。
【図１４−４】（イ）（ロ）（ハ）青年被験者ＪＫＬの実験経過図である。
【図１４−５】（イ）（ロ）（ハ）熟年被験者ＭＮＯの実験経過図である。
【符号の説明】
【００３８】
１  簡易身体機能訓練器、１０  身体機能判定訓練器
２  ベースボード、２ａ  ボード表面、２ｂ  ボード裏面、２ｃ  ボード側面
３  ピン挿入孔
Ａ  表側パターン、Ｂ  裏側パターン
３Ａ，ａ１，ａ２，ａ３，ａ４、ａ５  表側挿入孔
３Ｂ，ｂ１，ｂ２，ｂ３，ｂ４、５ｂ  裏側挿入孔
３１，３２  挿入孔列
４  ピン、４０  ピン群、４ａ，４ｂ  差込部
４Ｃ，ｃ１，ｃ２，ｃ３，ｃ４、ｃ５  棒状ピン
４Ｄ，ｄ１，ｄ２  段状ピン
５  ピン収納部、５ａ  出入口
６  ボードカバー、６ａ  天板、６ｂ  側板
７  ケース、７ａ  ケース天板、７ｂ  ケース側板
９  スイッチ類、９１  スタートスイッチ、９２  ストップスイッチ、
９３  リセットスイッチ、９４  モード切換えスイッチ，９５  電源スイッチ
１１  ボードホルダー、２１  ボード本体
１２，２２  台板部、２２ａ  台板表面
１３  表示部、１３ａ  第一画面、１３ｂ  第二画面
１４  計測部
１５  記録部
１６  電気回路
１７  タイマー
１８  ボード保持部
１９  ピン挿入検出部
【図１】
2008006162.tif 000004
【図２】
2008006162.tif 000005
【図３】
2008006162.tif 000006
【図４】
2008006162.tif 000007
【図５】
2008006162.tif 000008
【図６−１】
2008006162.tif 000009
【図６−２】
2008006162.tif 000010
【図７】
2008006162.tif 000011
【図８】
2008006162.tif 000012
【図９】
2008006162.tif 000013
【図１０】
2008006162.tif 000014
【図１１】
2008006162.tif 000015
【図１２】
2008006162.tif 000016
【図１３】
2008006162.tif 000017
【図１４−１】
2008006162.tif 000018
【図１４−２】
2008006162.tif 000019
【図１４−３】
2008006162.tif 000020
【図１４−４】
2008006162.tif 000021
【図１４−５】
2008006162.tif 000022